(57)【要約】【課題】  巻戻し速度をスプリングの機械的付勢力で付与するコイルスプリング装置において、その巻き上げ終期の速度を安全な速度に調整する機構を提供すること。【解決手段】  コイルスプリングに少なくとも２種類の回転モーメントを設け、最初の巻戻し付勢力は大きい回転モーメントのコイルバネ部分で付与し、最後の巻戻し付勢力は小さい回転モーメントのコイルバネ部分で付与し、回転モーメントの大きいバネ部分が巻回物のロールへの巻戻し初期速度を決定する一方、回転モーメントの小さいバネ部分が巻回物の巻戻し終期速度を決定するように構成したコイルスプリング装置にある。【選択図】図６
2005114072.tif 000002
【特許請求の範囲】
【請求項１】
固定軸により回動可能に支持され、ロールからの巻回物の巻出しによりその巻出された巻回物をロールに巻戻すための、巻戻し付勢力を付与するコイルスプリング装置において、
上記巻戻し付勢力を付与するスプリングがコイル捩りバネであって、少なくとも２種類の異なる回転モーメントを付与するバネ部分を備え、回転モーメントの大きいバネ部分が巻回物のロールへの巻戻し初期速度を決定する一方、回転モーメントの小さいバネ部分が巻回物の巻戻し終期速度を決定するように構成されていることを特徴とするコイルスプリング装置。
【請求項２】
各捩りバネ部分の回転モーメントを同一線径で、そのバネコイル径またはコイル密度により決定する請求項１記載のコイルスプリング装置。
【請求項３】
ロールパイプに巻戻し付勢力を付与するコイルスプリング装置と、該装置のロールパイプに一端が固着されるとともにロールパイプに巻回されるスクリーンと、該スクリーンの巻出しを許す一方、上記ロールパイプの巻戻し方向への付勢力に抗して巻出したスクリーンの巻戻しを阻止する一方向クラッチ機構とを有するロールスクリーン装置において、
前記コイルスプリング装置が、上記巻戻し付勢力を付与するスプリングとしてコイル捩りバネを用い、少なくとも２種類の異なる回転モーメントを付与するバネ部分を備え、回転モーメントの大きいバネ部分がスクリーンのロールへの巻戻し初期速度を決定する一方、回転モーメントの小さいバネ部分がスクリーンの巻戻し終期速度を決定するように構成されていることを特徴とするロールスクリーン装置。
【請求項４】
前記コイルスプリング装置が、コイル捩りバネと、該コイル捩りバネに内挿され、コイル捩りバネの一端が連結される心棒と、該心棒の両端に回転自在に装着され、その一方が前記コイル捩りバネの自由端と連結される一対の駆動環と、前記コイルスプリングが内挿されるとともに、内筒には前記一対の駆動環が固定され、外筒にスクリーンが巻回され、スクリーンの巻出しによる前記コイルスプリングの付勢力によりスクリーンを外筒に巻戻させるロールパイプとからなり、
さらに、上記心棒が双方向クラッチバネを有する外部クラッチ機構を介してダイアル機構に連結し、該ダイアル機構の回転動作により上記双方向クラッチバネを介して、上記外部クラッチ機構を解除するとともに、上記心棒を介してコイルスプリングを締める方向または緩める方向に回転させ、ダイアル機構の回転方向および角度により上記コイルスプリングの巻込み量を段階的に増減可能であることを特徴とする請求項２記載のロールスクリーン装置。
【請求項５】
各捩りバネ部分の回転モーメントを同一線径で、そのバネコイル径またはコイル密度により決定する請求項３または４記載のロールスクリーン装置。
【発明の詳細な説明】
【技術分野】
【０００１】
本発明は、長尺物の巻き上げに適するコイルスプリング装置、特にプロジェクタによる表示像を拡大投影する、ロールスクリーン装置、ロールブラインド装置に用いられるコイルスプリング装置、およびそれを用いたロールスクリーン装置、より詳しくは天井あるいは壁面等に取付けて使用する吊下げ式のスクリーン装置に関する。
【背景技術】
【０００２】
プロジェクタからの画像は、反射型スクリーンあるいは透過型スクリーンに拡大投影されて表示される。そして、天井あるいは壁面に取り付けて使用される吊下げ式のスクリーン装置は、一般に収納ケースに収容されたスクリーンを、必要に応じ、電動あるいは手動により引き下げて使用している。
【０００３】
吊下げ式のクリーン装置では、ロールパイプに巻取スプリングが内蔵されており、スクリーンを巻戻す方向に付勢力を付与している。そして、巻戻したスクリーンをロールパイプの付勢力に抗して巻出し、ついで、一度停止して再び巻出すと、カムが回転規制手段を作動させてロールパイプのスクリーン引出し方向への回転を規制するようにしている。これにより、スクリーンを所望の位置で固定することができ、そして、スクリーンを固定位置から少し巻出した後、手を離すと、ロールパイプの付勢力により、スクリーンは巻戻される。
したがって、スクリーンの巻戻し速度はコイルスプリングのロールパイプへの付勢力（コイルバネの回転モーメント）で決定されることになるが、巻取り速度が大きいと、徐々に巻取り速度は加速されるので、スクリーンのアンダーバーが収容ケースの開口部に衝突するように巻取り停止することになって、破損の原因になる。そこで、ブレーキ手段または緩衝機構を設けることが提案されている。
【発明の開示】
【発明が解決しようとする課題】
【０００４】
しかしながら、かかるブレーキ手段や緩衝機構は調整誤差が大きいだけでなく、ロールスクリーン装置の構造を複雑にする。しかも使用に伴い、コイルスプリングの付勢力が経時的に変化するので、コイルスプリングの巻取り量を調整する必要があるが、上記付属装置はその調整を行うことを困難にするという不具合がある。そこで、上記ブレーキ手段や緩衝装置に代え、簡単な機構で巻き上げ終期に巻き上げ速度を落して巻き戻す方式の採用が臨まれるが、電動システムの場合と違って、巻戻し速度はコイルスプリングの機械的付勢力に依存するため、その巻き上げ終期の速度だけを安全な速度に調整することは困難である。
【課題を解決するための手段】
【０００５】
上記課題を解決するため、本発明者らは、鋭意検討の結果、コイルスプリングが少なくとも２種類の回転モーメントを備えてなる場合、最初の巻戻し付勢力は大きい回転モーメントのコイルバネ部分が寄与し、最後の巻戻し付勢力は小さい回転モーメントのコイルバネ部分が寄与することを見出し、それを長尺物の巻戻しためのコイルスプリング装置に適用して完成したもので、
固定軸により回動可能に支持され、ロールからの巻回物の巻出しによりその巻出された巻回物をロールに巻戻すための、巻戻し付勢力を付与するコイルスプリング装置において、
上記巻戻し付勢力を付与するスプリングがコイル捩りバネであって、少なくとも２種類の異なる回転モーメントを付与するバネ部分を備え、回転モーメントの大きいバネ部分が巻回物のロールへの巻戻し初期速度を決定する一方、回転モーメントの小さいバネ部分が巻回物の巻戻し終期速度を決定するように構成されていることを特徴とするコイルスプリング装置にある。
本発明によれば、機械的に付勢力を付与するコイルスプリングを使用する簡単な構成で、全体の巻き上げ速度が大きくしても、最終の巻き上げ速度を小さく押えることができる。
【０００６】
本発明のコイルスプリング装置は、天井あるいは壁面等に取付けて使用する吊下げ式のスクリーン装置に適用するに適するもので、
本発明によれば、ロールパイプに巻戻し付勢力を付与するコイルスプリング装置と、該装置のロールパイプに一端が固着されるとともにロールパイプに巻回されるスクリーンと、該スクリーンの巻出しを許す一方、上記スプリングロールの巻戻し方向への付勢力に抗して巻出したスクリーンの巻戻しを阻止する一方向クラッチ機構とを有するロールスクリーン装置において、
前記コイルスプリング装置が、上記巻戻し付勢力を付与するスプリングとしてコイル捩りバネを用い、少なくとも２種類の異なる回転モーメントを付与するバネ部分を備え、回転モーメントの大きいバネ部分がスクリーンのロールへの巻戻し初期速度を決定する一方、回転モーメントの小さいバネ部分がスクリーンの巻戻し終期速度を決定するように構成されていることを特徴とするロールスクリーン装置を提供することができる。
本発明によれば、その巻き上げ終期の速度だけを安全な速度に調整することができるので、巻き上げ終了時のショックを緩和し、故障を少なくすることが出来る。
【０００７】
また、本発明によれば、前記コイルスプリング装置が、コイル捩りバネと、該コイル捩りバネに内挿され、コイル捩りバネの一端が連結される心棒と、該心棒の両端に回転自在に装着され、その一方が前記コイル捩りバネの自由端と連結される一対の駆動環と、前記コイルスプリングが内挿されるとともに、内筒には前記一対の駆動環が固定され、外筒にスクリーンが巻回され、スクリーンの巻出しによる前記コイルスプリングの付勢力によりスクリーンを外筒に巻戻させるロールパイプとからなる場合、ロールスクリーン装置におけるコイルスプリングの形状を代えるだけで対応できるため、
さらに、上記心棒を双方向クラッチバネを有する外部クラッチ機構を介してダイアル機構に連結し、該ダイアル機構の回転動作により上記双方向クラッチバネを介して、上記外部クラッチ機構を解除するとともに、上記心棒を介してコイルスプリングを締める方向または緩める方向に回転させ、ダイアル機構の回転方向および角度により上記コイルスプリングの巻込み量を段階的に増減可能とすることができる。
したがって、本発明によれば、さらに上記少なくとも２種類の回転モーメントを有するコイルスプリング装置を備えるロールスクリーン装置において、ダイアル機構の回転方向および角度により上記コイルスプリングの巻込み量を微調整可能とすることができ、全体として巻取り速度の調整を広く変化させることができる。
【０００８】
各コイル捩りバネ部分の回転モーメントは線径を同じくしてそのバネコイル径またはコイル密度により決定するか、コイル径を同じくしてバネ密度の粗密により決定するか、単にバネ線径を変えることにより決定することができるが、図６および図７に示すように、バネコイル径変化で回転モーメントを決定するようにするのが好ましい。
【発明の効果】
【０００９】
以上、本発明のコイルスプリング装置によれば、少なくとも２種類の回転モーメントを有する捩りコイルバネの回転モーメントの小さいバネ部分が最終的な巻戻し速度を規定するので、どのような速度で巻き戻しを行い始めても、所望の速度で巻取りを終わることが出来る。したがって、本件コイルスプリング装置を備えるロールスクリーン装置およびロールブラインド装置においては巻取り終り時に強い衝撃を受けないので、故障が少ない。
更に、本発明によれば、簡単な構造のコイルスプリングの巻込み量の微調節機構が採用できる。即ち、本発明のスクリーン装置は、双方向クラッチを介してダイヤル部を回動させ駆動部の突起部の係合位置を段階的に変化させることにより駆動部の回動を段階的に変化させて、コイルスプリングの巻込み量を段階的に増減させるようにしたので、スクリーンの巻取り速度の設定を微調整可能である。また、ダイアル調整により巻取り初速度が大きくなっても捩りコイルバネの小さい方の回転モーメントにより、巻取り終期速度は安全な速度に減速されることになる。したがって、かかるクラッチ機構との組合せによると、コイルスプリング全体の巻込み量の調節による速度調節とともにコイルスプリング１４自体の有する少なくとも２段階の速度調節により、巻取り速度を広く調節することができる利点を有する。
【発明を実施するための最良の形態】
【００１０】
以下、本発明の実施の形態について図面を参照して説明する。
図１は、本実施の形態に係るスクリーン装置１の構造の一例を示す斜視図であり、スクリーンを巻出した状態を示している。スクリーン装置１は、天井等に固定される、収納ケース２を有しており、その中には、両端をブラケットにより回転自在に支持されたスプリング付勢されたスプリングロール装置が収納されている。また、収納ケース２の一端にはスクリーンの巻上げ量および速度を調整する外部クラッチ機構３０に取付けられ、他端にはブラケットを保護するブラケット用キャップが取付けられている。スクリーン８は、その一端がロールパイプに固着されてスプリングロール装置のロールパイプに巻回されており、他端はアンダーバー９に固着されている。スクリーン８は、使用時には把手１０により収納ケース２から巻出され、収納時には巻回されて収納ケース２に収納される。
【００１１】
図２は、図１のII−II’線断面における縦断面図である。収納ケース２内の、スプリングロール装置３は、軸方向に延びるロールパイプ５を備え、図示しない一端は収納ケース２に回転可能に取り付けられている一方、他端は、心棒１３とコイルスプリング１４とからなるコイルスプリング装置を内蔵し、一方向クラッチ機構２５および回動軸１５を介して外部クラッチ機構３０に連結している。
即ち、心棒１３の両端はロールパイプ５の図面上左端において、一対の駆動環を形成するキャップ１２と内部クラッチ機構２５により回転可能に軸支されるとともに、心棒の一端１３ａには、コイルスプリング１４の一端がビス７で固定されており、他端は他方の駆動環をなす内部クラッチ機構２５の突出端部２５ａにビス６で固定されているので、ロールパイプ５の回転に伴い、スプリングロール装置３には巻戻し方向の付勢力が付与されるようになっている。即ち、前記スプリングロール装置は、コイル捩りバネをなすスプリングコイル１４と、該スプリングコイル１４に内挿され、スプリングコイルの一端が１３ａで連結される心棒１３と、該心棒１３の両端に回転自在に装着され、その一方が前記スプリングコイル１４の自由端と２５ａで連結される一対の駆動環をなすキャップ１２と内部クラッチ機構２５と、前記スプリングコイル１４が内挿されるとともに、内筒には前記一対の駆動環１２，２５が固定され、外筒にスクリーンが巻回されるロールパイプ５とからなり、スクリーンの巻出しによる前記コイルスプリング１４の巻込みの復帰力に基づき、スクリーンを外筒に巻戻させる付勢力が付与される。すなわち、スクリーン８の巻出し作業により、スプリングコイル１４が巻込まれ、ロールパイプ５に巻戻し付勢力が付与されるようになっている。
【００１２】
本発明においては、スプリングロール装置３のコイルスプリングとして図６及び図７に示す捩りコイルバネを用いる。各捩りバネ部分の回転モーメントを同一線径で、そのバネコイル径により決定している。図６では上記巻戻し付勢力を付与するスプリング１４がコイル捩りバネであって、２種類の異なる回転モーメントを付与するバネ部分１４ａ、１４ｂを備え、同一線径でコイル径の小さい、即ち回転モーメントの大きいバネ部分１４ａがスプリングの両端に形成され、スクリーン８のロールへの巻戻し初期速度を決定する一方、同一線径でコイル径の大きい、即ち回転モーメントの小さいバネ部分１４ｂがスプリングの中央に形成され、スクリーン８の巻戻し終期速度を決定するように構成されている。他方、図７では同一線径でコイル径の小さい、即ち回転モーメントの大きいバネ部分１４ａがスプリングの中央に形成され、スクリーン８のロールへの巻戻し初期速度を決定する一方、同一線径でコイル径の大きい、即ち回転モーメントの小さいバネ部分１４ｂがスプリングの両端に形成され、スクリーン８の巻戻し終期速度を決定するように構成されている。
上記実施例では、一本のスプリングコイルで形成されているが、回転モーメントの異なる各バネ部分を独立したコイルスプリング装置で形成し、これらを連結して形成することもできる。種々の回転モーメントを有するコイルスプリング装置を組み合わせて所望の回転モーメントを有するコイルスプリングを形成できるので、便利である。
【００１３】
外部クラッチ機構３０は、クラッチドラムを有するサイドプレート３２からなる固定部と、該クラッチドラムを介して同心で回動する回転部とから構成される。さらに、回転部は、ダイヤル部と駆動部とから構成される。ダイヤル部は、クラッチドラムに順次外挿される双方向クラッチバネ３３、調整ドラム３４及びダイヤル３５とから構成され、駆動部はクラッチドラムの内側に内挿された駆動ドラム３１から構成され、ネジ３６を用いて駆動部とダイヤル部とは一体化されている。なお、駆動ドラム３１の内側に内部クラッチ機構２５の回動軸１５の一端を嵌合することにより、外部クラッチ機構３０と内部クラッチ機構２５が連結されている。
【００１４】
図３は、図２のIII−III’線断面における横断面図で、図４は外部クラッチ機構３０の内部の詳細を示す組み立て斜視図である。そして、図５は本発明のコイルスプリング装置と外部クラッチ機構との連結関係を示す分解組立図である。
図中、上記スプリングコイル１４に上記心棒１３が内挿され、該心棒１３に連結する駆動軸１５は、双方向クラッチバネ３３を有する外部クラッチ機構３０を介してダイアル機構３５に連結し、該ダイアル機構３５の回転動作により上記双方向クラッチバネ３３を拡張させ、上記外部クラッチ機構３０を解除可能である。そして、上記心棒１３を介してコイルスプリング１４を締める方向または緩める方向に回転させ、ダイアル機構３５を停止させ、その位置でクラッチ機構３０を固定させると、ダイアル機構３５の回転方向および角度により上記コイルスプリング１４の巻込み量を段階的に増減可能となっている。
詳しくは、図４に示すように、サイドプレート３２は、基体部３２ａとクラッチドラム３２ｂを有し、ブラケット４に固定するための固定穴３２ｄを有している。調整ドラム３４は円周方向に開口部３４ａを有し、ダイヤル３５はその内側に突設された突出部３５ａを有しており、双方向クラッチバネ３３の両端部３３ａ，３３ｂが調整ドラム３４の開口部３４ａ内に突出し、その両端部３３ａ，３３ｂの間にダイヤルの突出部３５ａが挿入されるように、クラッチドラムに、双方向クラッチバネ３３、調整ドラム３４、そしてダイヤル３５がこの順で外挿されて構成されている。
【００１５】
図４に示すように、駆動ドラム３１の内側に内部クラッチ機構２５の回動軸１５を嵌合して、駆動ドラムと内部クラッチ機構２５とを連結する。駆動ドラム３１は、基体部３１ａと、その基体部から立ち上がるドラム部３１ｄを有している。基体部３１ａは、４個の突出部３１ｂを有し、その突出部の先端にはサイドプレート３２に対向するように突起部３１ｃが形成されている。さらに、ドラム部３１ｄの上面には円周方向に複数の凸部３１ｅが形成されており、図５に示すように、調整ドラム３４の貫通孔３４ｂの周囲に形成された複数の凹部３４ｃに嵌合して、駆動ドラム３１と調整ドラム３４とが一体化される。
【００１６】
調整ドラム３４は双方向クラッチバネ３３に外挿して、双方向クラッチバネの両端部３３ａ，３３ｂは調整ドラムの周方向に形成された開口部３４ａに突出するように配置する。さらに、調整ドラム３４にダイヤル３５を外挿して、ダイヤル３５の内側に形成された突出部が双方向クラッチバネの両端部３３ａ，３３ｂの間に位置するように配置する。そして、駆動ドラム３１とダイヤル３５とを、サイドプレート３２、双方向クラッチバネ３３、そして調整ドラム３４を介してネジ３６をネジ受け部３５ｂに取付けることにより固定する。
【００１７】
ここで、サイドプレート３２の基体部３２ａのクラッチドラム３２ｂの反対面には、駆動ドラム３１の突起部３１ｃを係脱可能に、複数の凹部３２ｃが円状に所定間隔で形成されている。駆動ドラム３１が回動すると、駆動ドラム３１の突起部３１ｃは基体部３２ａクラッチドラム３２ｂの反対面上を摺動し、凹部３２ｃに弾接してクリック感を発生する。
【００１８】
また、駆動ドラムは、弾性を有する金属又は樹脂材料から成るものを用いることができる。また、突出部の数は２個以上であれば特に限定されない。
ダイヤル３４をいずれの方向に回しても、その突出部３５ａが双方向クラッチバネ３３の両端部３３ａ，３３ｂの一方に当接し双方向クラッチバネ３３を巻戻す方向に押すので、双方向クラッチバネ３３はクラッチドラム３２ｂに対する巻付きを解除される。これにより、双方向クラッチバネ３３は調整ドラム３４とともに回動する。この時、調整ドラム３４を介して駆動ドラム３１も回動する。この回動時に、駆動ドラム３１の突起部３１ｃはサイドプレートの凹部３２ｃとの係合が解除されて周方向に移動し、駆動ドラム３１と調整ドラム３４とが一体的に回動する。そして、駆動ドラム３１の突起部３１ｃが別の凹部３２ｃと係合する位置でダイヤル３５を回すのを止めると、ダイヤル３５が固定される。一方、駆動ドラム３１側からの回動に対しては調整ドラム３４の開口部３４ａが双方向クラッチバネ３３の両端部３３ａ，３３ｂを双方向クラッチバネ３３の巻締め方向に押すので、双方向クラッチバネ３３はクラッチドラム３２ｂに巻付き、駆動ドラム３１の回動は阻止される。
なお、図４及び５では、駆動ドラムの突起部３１ｅと調整ドラムの凹部３４ｃが嵌合する例を示したが、駆動ドラムに凹部、そして調整ドラムに突起部を設けても同様の効果を有する。また、図４及び５では、駆動ドラムの突起部３１ｃとサイドプレートの凹部３２ｃが係合する例を示したが、これについても駆動ドラムに凹部、そしてサイドプレートに突起部を設けても同様の効果を有する。
【００１９】
なお、外部クラッチ機構としては上記巻緩める構成のものを使用することによりコイルスプリングの巻込み量を正確に微調整するようにしたが、上記構成に代えて、クラッチスプリングをクラッチドラムに内挿し、クラッチスプリングを巻締めることによりクラッチドラムに対する圧着力を減らして駆動ドラムを回動させる方式（実公平６−１７９９５号参照）に上記段階的クラッチ構造を採用して使用することも可能である。
【００２０】
また、本発明のスクリーン装置には、以下に説明する一方向クラッチ機構を用いることができるが、これに限定されるものではない。スクリーンの巻出しを許す一方、スプリングロールの巻上げ方向への付勢力に抗して巻出したスクリーンの巻戻しを阻止する機能を有するものではあれば特に限定されない。
図２に示すように、クラッチ機構は、固定軸１５の外側に嵌挿されたドラム１７からなる従動部と、該ドラム１７の外側に嵌挿された枠体２０からなる原動部とで構成される。枠体２０はベアリング１６を介して回動可能である。枠体２０の外周面にはその母線方向に、スプリングロール装置３の内面に設けられた突部及び突条（不図示）と嵌合する突部と突条（不図示）が設けられており、スプリングロール装置３と嵌合する。さらに、固定軸１５とドラム１７とを、固定軸１５にきつく巻回し先端をドラム１７に係止したクラッチスプリング２１で連結する。これにより、スクリーン８を巻出すと、固定軸１５に対してドラム１７がクラッチスプリング２１の巻戻し方向に回転し、クラッチスプリング２１の固定軸１５とドラム１７に対する巻付きが弱くなり、ドラム１７の回転は許容される。その結果、スプリングロール装置３は同軸的にドラム１７と連動回動する。
一方、スクリーン８を巻戻すと、固定軸１５に対してドラム１７がクラッチスプリング２１の巻締め方向に回転し、クラッチスプリング２１はより強く固定軸１５とドラム１７に巻付いて、ドラム１７の回転は阻止される。
【００２１】
また、ドラム１７には、円周面にガイド溝１９が形成されている。また、枠体２０には、その母線方向に断面半円状のスライド溝２０ａが形成されている。そして、ガイド溝１９とスライド溝２０ａとの間の空隙には摺動ボール１８が配置されており、枠体２０が回転すると、摺動ボール１８はスライド溝２０ａ内を枠体２０の母線方向に移動しながらガイド溝１９内を移動することができる。ここで、ガイド溝には、油やグリース等の潤滑剤を充填することが好ましい。潤滑剤は摺動ボールとガイド溝との間に発生する転がり摩擦を低減するので、スクリーンの巻戻し及び巻出しをより軽快に行うことができる。また、潤滑剤は摺動ボールに回転抵抗を与えるので、摺動ボールの遊動を抑制する。これにより、例えば、スクリーンが傾いた場合、摺動ボールがスクリーンの傾斜方向に移動するのを抑制できるので、枠体の回転に同期した移動のみを可能とすることができる。
【００２２】
以下、本実施の形態に係るスクリーン装置の動作について説明する。
スクリーン装置を天井又は壁に取付けた後、スクリーンの巻出しと巻上げを行い、コイルスプリングの巻上げトルクの強弱を調べ、スクリーンを巻上げた後、外部クラッチ機構を用いて初巻きを行いコイルスプリングの巻込み量を調整する。例えば、巻上げ速度が小さい場合は、ダイヤルをコイルスプリングを巻込む方向に回すと、ダイヤルの突出部が双方向クラッチバネの両端部の一方に当接し双方向クラッチバネを巻戻す方向に押すので、双方向クラッチバネはクラッチドラムに対する巻付きを解除される。これにより、駆動ドラムの突起部はサイドプレートの凹部との係合が解除されて周方向に移動し、複数の凹部との係脱を繰り返して駆動ドラムはコイルスプリングの固定された回動軸を回動させてコイルスプリングの巻込み量を段階的に増加させることができる。一方、ダイヤルを反対方向に回すと、駆動ドラムは、回動軸も反対方向に回動させてコイルスプリングの巻込み量を減らすことができる。これにより、スクリーン装置を取付けた状態で、コイルスプリングの巻込み量を段階的に変化させることができるので、スクリーンの巻上げ速度を容易に調整することが可能となる。
そして、前記コイルスプリング装置が、２種類の異なる回転モーメントを付与するバネ部分１４ａ、１４ｂを備え、回転モーメントの大きいバネ部分１４ａがスクリーンのロールへの巻戻し初期速度を決定する一方、回転モーメントの小さいバネ部分１４ｂがスクリーンの巻戻し終期速度を決定するように構成されているため、スクリーン８を図１に示すように、巻出すと、コイルスプリング１４は一応に巻込まれてロールパイプ３ａにスクリーン８を巻戻す付勢力を与え、上記一方向クラッチ機構２５により所定の位置で停止させることができる。
ここで、一方向クラッチ機構２５を解除すると、スクリーンはコイルスプリング１４の回転モーメントの大きいバネ部分１４ａにより設定された所定の巻上げ速度で加速しながら上昇するが、巻き終わる前、好ましくは巻き終わる直前にはコイルスプリング１４の回転モーメントの小さいバネ部分１４ｂにより設定された衝撃のない安全速度に減速され、ケース２に収納されることになる。
【図面の簡単な説明】
【００２３】
【図１】本発明の実施の形態に係るスクリーン装置の構造の一例を示す斜視図である。
【図２】図１のＩＩ−ＩＩ′線断面における模式縦断面図である。
【図３】図２のＩＩＩ−ＩＩＩ′線断面における模式横断面図である。
【図４】本発明のスクリーン装置に用いる外部クラッチ機構の構造の一例を示す分解斜視図である。
【図５】本発明のスクリーン装置に用いる外部クラッチ機構とコイルスプリング装置の連結構造の一例を示す分解斜視図である。
【図６】本発明のスプリングロール装置においてロールパイプ内に内挿されるコイルバネの全体を示す正面図。
【図７】図６の変形例を示す正面図。
【符号の説明】
【００２４】
１  スクリーン装置、２  取付板、３  スプリングロール装置、４  ブラケット、５  ロールパイプ、６、７  ビス、８  スクリーン、９  アンダーバー、１０  把手、１２  スプリングロール用キャップ、１３  心棒、１４  コイルスプリング、１５  回動軸、１６  ベアリング、１７  ドラム、１７ａ  周回溝、１７ｂ  係止溝、１７ｃ  突部、１８  摺動ボール、１９  ガイド溝、２０  枠体、２０ａ  スライド溝、２１  スプリングコイル、２５  一方向クラッチ機構、３０  外部クラッチ機構、３１  駆動ドラム、３２  サイドプレート、３２ａ  基体部、３２ｂ  クラッチドラム、３２ｃ  凹部、３２ｄ  固定穴、３３  双方向クラッチバネ、３４  調整ドラム、３５  ダイヤル。
【図１】
2005114072.tif 000003
【図２】
2005114072.tif 000004
【図３】
2005114072.tif 000005
【図４】
2005114072.tif 000006
【図５】
2005114072.tif 000007
【図６】
2005114072.tif 000008
【図７】
2005114072.tif 000009